(57)【要約】【課題】全チャンネルスキャンが完了していない場合において、直ぐに放送番組を視聴したいというユーザの要求に応える。【解決手段】デジタルテレビ放送信号を受信する受信手段１０と、受信手段１０により受信されるデジタルテレビ放送信号に基づいて全チャンネルスキャンを行う制御手段２０と、を有するデジタルテレビ放送受信機において、受信手段１０は、制御手段２０により選択されたチャンネルでデジタルテレビ放送信号を受信して、当該受信したデジタルテレビ放送信号に対応する映像・音声データを出力し、制御手段２０は、全チャンネルスキャンを開始した後、最初にデジタルテレビ放送信号を受信可能なチャンネルを検出すると、全チャンネルスキャンを停止して、当該最初に検出されたチャンネルでデジタルテレビ放送信号を継続的に受信するよう受信手段１０を制御する。【選択図】図１
2013223064.tif 000002
【特許請求の範囲】
【請求項１】
デジタルテレビ放送信号を受信する受信手段と、
前記受信手段により受信されるデジタルテレビ放送信号に基づいて、放送帯域内にあるチャンネルを順次スキャンして、デジタルテレビ放送信号を受信可能な全てのチャンネルを検出する全チャンネルスキャンを行う制御手段と、
を有するデジタルテレビ放送受信機であって、
前記受信手段は、前記制御手段により選択されたチャンネルでデジタルテレビ放送信号を受信して、当該受信したデジタルテレビ放送信号に対応する映像・音声データを出力し、
前記制御手段は、前記全チャンネルスキャンを開始した後、最初にデジタルテレビ放送信号を受信可能なチャンネルを検出すると、前記全チャンネルスキャンを停止して、当該最初に検出されたチャンネルでデジタルテレビ放送信号を継続的に受信するよう前記受信手段を制御することを特徴とするデジタルテレビ放送受信機。
【請求項２】
前記制御手段は、最初にデジタルテレビ放送信号を受信可能なチャンネルを検出することで前記全チャンネルスキャンを停止した後、ユーザ操作によるチャンネル切り替えを示すコマンドを検出すると、前記全チャンネルスキャンを再開するよう前記受信手段を制御することを特徴とする請求項１に記載のデジタルテレビ放送受信機。
【請求項３】
前記制御手段は、前記全チャンネルスキャンを再開した後、次にデジタルテレビ放送信号を受信可能なチャンネルを検出すると、前記全チャンネルスキャンを再び停止して、当該次に検出されたチャンネルでデジタルテレビ放送信号を継続的に受信するよう前記受信手段を制御することを特徴とする請求項２に記載のデジタルテレビ放送受信機。
【請求項４】
デジタルテレビ放送信号が放送されるチャンネルの情報をリスト化した放送チャンネルリストを地域毎に記憶する記憶手段をさらに有することを特徴とする請求項１〜３の何れか一項に記載のデジタルテレビ放送受信機。
【請求項５】
前記制御手段は、前記全チャンネルスキャンを開始するよりも前にユーザから地域情報が入力されている場合に、当該地域情報に対応する放送チャンネルリストを前記記憶手段から取得し、当該取得した放送チャンネルリストに含まれるチャンネルを、前記受信手段が前記全チャンネルスキャンにおいてスキャンすべきスキャン対象として選択することを特徴とする請求項４に記載のデジタルテレビ放送受信機。
【請求項６】
前記制御手段は、最初にデジタルテレビ放送信号を受信可能なチャンネルを検出した後、当該最初に検出したチャンネルの情報を有する放送チャンネルリストを前記記憶手段から取得し、当該取得した放送チャンネルリストに含まれるチャンネルを、前記受信手段が前記全チャンネルスキャンにおいてスキャンすべき次以降のスキャン対象として選択することを特徴とする請求項４に記載のデジタルテレビ放送受信機。
【請求項７】
前記制御手段は、前記最初に検出したチャンネルの情報を有する放送チャンネルリストが前記記憶手段に複数存在する場合には、次以降に検出した各チャンネルの情報に基づいて、当該複数の放送チャンネルリストの中から前記全チャンネルスキャンにおいて適用すべき放送チャンネルリストを絞り込むことを特徴とする請求項６に記載のデジタルテレビ放送受信機。
【請求項８】
デジタルテレビ放送信号を受信するデジタルテレビ放送受信機が接続されるコンピュータにおいて、前記デジタルテレビ放送受信機により受信されるデジタルテレビ放送信号に基づいて、放送帯域内にあるチャンネルを順次スキャンして、デジタルテレビ放送信号を受信可能な全てのチャンネルを検出する全チャンネルスキャンを行うためのスキャン制御プログラムであって、
前記全チャンネルスキャンを開始した後、最初にデジタルテレビ放送信号を受信可能なチャンネルを検出すると、前記全チャンネルスキャンを停止するステップと、
前記全チャンネルスキャンを停止した後、当該最初に検出されたチャンネルでデジタルテレビ放送信号を継続的に受信するよう前記デジタルテレビ放送受信機を制御するステップと、
を有することを特徴とするスキャン制御プログラム。
【請求項９】
最初にデジタルテレビ放送信号を受信可能なチャンネルを検出することで前記全チャンネルスキャンを停止した後、ユーザ操作によるチャンネル切り替えを示すコマンドを検出すると、前記全チャンネルスキャンを再開するステップをさらに有することを特徴とする請求項８に記載のスキャン制御プログラム。
【請求項１０】
前記全チャンネルスキャンを再開した後、次にデジタルテレビ放送信号を受信可能なチャンネルを検出すると、前記全チャンネルスキャンを再び停止して、当該次に検出されたチャンネルでデジタルテレビ放送信号を継続的に受信するよう前記デジタルテレビ放送受信機を制御するステップをさらに有することを特徴とする請求項９に記載のスキャン制御プログラム。
【請求項１１】
デジタルテレビ放送信号が放送されるチャンネルの情報をリスト化した放送チャンネルリストを地域毎に前記コンピュータの記憶手段に記憶するステップをさらに有することを特徴とする請求項８〜１０の何れか一項に記載のスキャン制御プログラム。
【請求項１２】
前記全チャンネルスキャンを開始するよりも前にユーザから地域情報が入力されている場合に、当該地域情報に対応する放送チャンネルリストを前記記憶手段から取得し、当該取得した放送チャンネルリストに含まれるチャンネルを、前記デジタルテレビ放送受信機が前記全チャンネルスキャンにおいてスキャンすべきスキャン対象として選択するステップをさらに有することを特徴とする請求項１１に記載のスキャン制御プログラム。
【請求項１３】
最初にデジタルテレビ放送信号を受信可能なチャンネルを検出した後、当該最初に検出したチャンネルの情報を有する放送チャンネルリストを前記記憶手段から取得し、当該取得した放送チャンネルリストに含まれるチャンネルを、前記デジタルテレビ放送受信機が前記全チャンネルスキャンにおいてスキャンすべき次以降のスキャン対象として選択するステップをさらに有することを特徴とする請求項１１に記載のスキャン制御プログラム。
【請求項１４】
前記最初に検出したチャンネルの情報を有する放送チャンネルリストが複数存在する場合には、次以降に検出した各チャンネルの情報に基づいて、当該複数の放送チャンネルリストの中から前記全チャンネルスキャンにおいて適用すべき放送チャンネルリストを絞り込むステップをさらに有することを特徴とする請求項１３に記載のスキャン制御プログラム。
【発明の詳細な説明】
【技術分野】
【０００１】
本発明は、デジタルテレビ放送受信機及びスキャン制御プログラムに関する。
【背景技術】
【０００２】
デジタルテレビ放送受信機は、購入後の初期設定時や設置場所が変更された時などにおいて、デジタルテレビ放送信号の受信が可能な全てのチャンネル（「周波数チャンネル」又は「物理チャンネル」とも称される）を検出するために、放送帯域内にあるチャンネルを順次スキャンする機能（以下、全チャンネルスキャン、または初期スキャンと称する）を備えている。
【０００３】
デジタルテレビ放送受信機は、全チャンネルスキャンで検出されたチャンネルについて、放送局名や、チャンネル番号（「リモコン番号」とも称される）を対応付けたチャンネルマップを作成する。
【０００４】
チャンネルマップが作成された後においては、ユーザからチャンネル番号が指定されると、当該チャンネルマップを参照することで、当該チャンネル番号に対応するチャンネルでデジタルテレビ放送信号を直ちに受信できる。
【０００５】
一方で、全チャンネルスキャン中はユーザがデジタルテレビ放送コンテンツ（放送番組）を継続的に視聴できないという問題がある。
【０００６】
このような問題点に鑑みて、特許文献１に記載のデジタルテレビ放送受信機は、全チャンネルスキャン中にユーザからスキャン停止の操作が行われると、全チャンネルスキャンを停止し、スキャン済み番組の中から選択されたチャンネルをそれ以降の受信チャンネルとして決定する。
【先行技術文献】
【特許文献】
【０００７】
【特許文献１】特開２００９−１１１６４６号公報
【発明の概要】
【発明が解決しようとする課題】
【０００８】
特許文献１に記載のデジタルテレビ放送受信機には、次のような問題がある。
【０００９】
例えば、可搬型のデジタルテレビ放送受信機を用いて、外出先で空き時間に放送番組を視聴しようとするユーザは、とりあえず直ぐに放送番組を視聴したいと望む。この場合、上述した全チャンネルスキャンを行って既に生成されたチャンネルマップが有効な地域内にデジタルテレビ放送受信機が存在する場合は、このチャンネルマップの情報を用いてユーザは直ぐに放送番組を視聴することができる。一方、既に生成されたチャンネルマップが有効ではない地域においてユーザが放送番組を視聴するためには、再度全チャンネルスキャンを行うことになる。
【００１０】
しかしながら、特許文献１に記載のデジタルテレビ放送受信機は、全チャンネルスキャンを開始した後、ユーザがスキャン停止の操作を行って所望のチャンネルを選択するまでは全チャンネルスキャンを継続するため、とりあえず直ぐに放送番組を視聴したいというユーザの要求に応えることが困難である。
【００１１】
このような問題は、デジタルテレビ放送受信機を購入した後の初期設定時に全チャンネルスキャンを行っている場合も、同様に生じうる。
【００１２】
そこで、本発明は、全チャンネルスキャンが完了していない場合において、直ぐに放送番組を視聴したいというユーザの要求に応えることができるデジタルテレビ放送受信機及びスキャン制御プログラムを提供することを目的とする。
【課題を解決するための手段】
【００１３】
上述した課題を解決するために、本発明は以下のような特徴を有している。
【００１４】
本発明のデジタルテレビ放送受信機は、デジタルテレビ放送信号を受信する受信手段と、前記受信手段により受信されるデジタルテレビ放送信号に基づいて、放送帯域内にあるチャンネルを順次スキャンして、デジタルテレビ放送信号を受信可能な全てのチャンネルを検出する全チャンネルスキャンを行う制御手段と、を有するデジタルテレビ放送受信機であって、前記受信手段は、前記制御手段により選択されたチャンネルでデジタルテレビ放送信号を受信して、当該受信したデジタルテレビ放送信号に対応する映像・音声データを出力し、前記制御手段は、前記全チャンネルスキャンを開始した後、最初にデジタルテレビ放送信号を受信可能なチャンネルを検出すると、前記全チャンネルスキャンを停止して、当該最初に検出されたチャンネルでデジタルテレビ放送信号を継続的に受信するよう前記受信手段を制御することを特徴とする。
【００１５】
前記制御手段は、最初にデジタルテレビ放送信号を受信可能なチャンネルを検出することで前記全チャンネルスキャンを停止した後、ユーザ操作によるチャンネル切り替えを示すコマンドを検出すると、前記全チャンネルスキャンを再開するよう前記受信手段を制御してもよい。
【００１６】
前記制御手段は、前記全チャンネルスキャンを再開した後、次にデジタルテレビ放送信号を受信可能なチャンネルを検出すると、前記全チャンネルスキャンを再び停止して、当該次に検出されたチャンネルでデジタルテレビ放送信号を継続的に受信するよう前記受信手段を制御してもよい。
【００１７】
前記デジタルテレビ放送受信機は、デジタルテレビ放送信号が放送されるチャンネルの情報をリスト化した放送チャンネルリストを地域毎に記憶する記憶手段をさらに有してもよい。
【００１８】
前記制御手段は、前記全チャンネルスキャンを開始するよりも前にユーザから地域情報が入力されている場合に、当該地域情報に対応する放送チャンネルリストを前記記憶手段から取得し、当該取得した放送チャンネルリストに含まれるチャンネルを、前記受信手段が前記全チャンネルスキャンにおいてスキャンすべきスキャン対象として選択してもよい。
【００１９】
前記制御手段は、最初にデジタルテレビ放送信号を受信可能なチャンネルを検出した後、当該最初に検出したチャンネルの情報を有する放送チャンネルリストを前記記憶手段から取得し、当該取得した放送チャンネルリストに含まれるチャンネルを、前記受信手段が前記全チャンネルスキャンにおいてスキャンすべき次以降のスキャン対象として選択してもよい。
【００２０】
前記制御手段は、前記最初に検出したチャンネルの情報を有する放送チャンネルリストが前記記憶手段に複数存在する場合には、次以降に検出した各チャンネルの情報に基づいて、当該複数の放送チャンネルリストの中から前記全チャンネルスキャンにおいて適用すべき放送チャンネルリストを絞り込んでもよい。
【００２１】
本発明のスキャン制御プログラムは、デジタルテレビ放送信号を受信するデジタルテレビ放送受信機が接続されるコンピュータにおいて、前記デジタルテレビ放送受信機により受信されるデジタルテレビ放送信号に基づいて、放送帯域内にあるチャンネルを順次スキャンして、デジタルテレビ放送信号を受信可能な全てのチャンネルを検出する全チャンネルスキャンを行うためのスキャン制御プログラムであって、前記全チャンネルスキャンを開始した後、最初にデジタルテレビ放送信号を受信可能なチャンネルを検出すると、前記全チャンネルスキャンを停止するステップと、前記全チャンネルスキャンを停止した後、当該最初に検出されたチャンネルでデジタルテレビ放送信号を継続的に受信するよう前記デジタルテレビ放送受信機を制御するステップと、を有することを特徴とする。
【００２２】
前記スキャン制御プログラムは、最初にデジタルテレビ放送信号を受信可能なチャンネルを検出することで前記全チャンネルスキャンを停止した後、ユーザ操作によるチャンネル切り替えを示すコマンドを検出すると、前記全チャンネルスキャンを再開するステップをさらに有してもよい。
【００２３】
前記スキャン制御プログラムは、前記全チャンネルスキャンを再開した後、次にデジタルテレビ放送信号を受信可能なチャンネルを検出すると、前記全チャンネルスキャンを再び停止して、当該次に検出されたチャンネルでデジタルテレビ放送信号を継続的に受信するよう前記デジタルテレビ放送受信機を制御するステップをさらに有してもよい。
【００２４】
前記スキャン制御プログラムは、デジタルテレビ放送信号が放送されるチャンネルの情報をリスト化した放送チャンネルリストを地域毎に前記コンピュータの記憶手段に記憶するステップをさらに有してもよい。
【００２５】
前記スキャン制御プログラムは、前記全チャンネルスキャンを開始するよりも前にユーザから地域情報が入力されている場合に、当該地域情報に対応する放送チャンネルリストを前記記憶手段から取得し、当該取得した放送チャンネルリストに含まれるチャンネルを、前記デジタルテレビ放送受信機が前記全チャンネルスキャンにおいてスキャンすべきスキャン対象として選択するステップをさらに有してもよい。
【００２６】
前記スキャン制御プログラムは、最初にデジタルテレビ放送信号を受信可能なチャンネルを検出した後、当該最初に検出したチャンネルの情報を有する放送チャンネルリストを前記記憶手段から取得し、当該取得した放送チャンネルリストに含まれるチャンネルを、前記デジタルテレビ放送受信機が前記全チャンネルスキャンにおいてスキャンすべき次以降のスキャン対象として選択するステップをさらに有してもよい。
【００２７】
前記スキャン制御プログラムは、前記最初に検出したチャンネルの情報を有する放送チャンネルリストが複数存在する場合には、次以降に検出した各チャンネルの情報に基づいて、当該複数の放送チャンネルリストの中から前記全チャンネルスキャンにおいて適用すべき放送チャンネルリストを絞り込むステップをさらに有してもよい。
【発明の効果】
【００２８】
本発明によれば、全チャンネルスキャンが完了していない場合において、直ぐに放送番組を視聴したいというユーザの要求に応えることができるデジタルテレビ放送受信機及びスキャン制御プログラムを提供できる。
【図面の簡単な説明】
【００２９】
【図１】第１実施形態〜第３実施形態に係るデジタル放送チューナ装置のブロック図である。
【図２】第１実施形態に係る全チャンネルスキャンの処理フローを示す。
【図３】放送チャネルリストの一例を示す。
【図４】第２実施形態に係る全チャンネルスキャンの処理フローを示す。
【図５】第３実施形態に係る全チャンネルスキャンの処理フローを示す。
【図６】第４実施形態に係るデジタル放送チューナ装置のブロック図である。
【図７】その他の実施形態に係るデジタル放送受像機のブロック図である。
【図８】その他の実施形態に係る可搬型デジタル放送チューナ装置及びノート型パソコンを示す。
【発明を実施するための形態】
【００３０】
図面を参照して、本発明の実施形態を説明する。以下の各実施形態における図面において、同一又は類似の部分には同一又は類似の符号を付す。
【００３１】
［第１実施形態］
図１は、本実施形態に係るデジタル放送チューナ装置１００のブロック図である。本実施形態に係るデジタル放送チューナ装置１００は、デジタルテレビ放送（以下、単に「デジタル放送」と称する）を受信するチューナ装置である。本実施形態においてデジタル放送チューナ装置１００は、デジタルテレビ放送受信機に相当する。
【００３２】
図１に示すように、デジタル放送チューナ装置１００は、アンテナ１０１で放送波から電気信号に変換されたデジタル放送信号を入力する。デジタル放送チューナ装置１００は、選択されたチャンネルでデジタル放送信号を受信するチューナ部１１０と、チューナ部１１０が受信したデジタル放送信号を復調・復号する復調・復号部１２０と、復調・復号部１２０により得られた映像・音声データを外部のデジタル放送受像機へ出力する映像・音声出力部１３０と、を有する。本実施形態において、チューナ部１１０、復調・復号部１２０、及び映像・音声出力部１３０は、受信手段１０を構成する。
【００３３】
チューナ部１１０、復調・復号部１２０、及び映像・音声出力部１３０は、ＣＰＵ（Ｃｅｎｔｒａｌ  Ｐｒｏｃｅｓｓｉｎｇ  Ｕｎｉｔ）１４０によって制御される。ＣＰＵ１４０は、メモリ１５０に記憶されているプログラムを実行することで、デジタル放送チューナ装置１００が備える機能（上述した全チャンネルスキャン機能を含む）を実現する。本実施形態においてＣＰＵ１４０は制御手段２０に相当し、メモリ１５０は記憶手段３０に相当する。
【００３４】
また、デジタル放送チューナ装置１００は、リモコン１０２からのコマンド信号（赤外線又は電波）を受信し、電気信号に変換してＣＰＵ１４０に出力するコマンド受信部１６０を有する。また、デジタル放送チューナ装置１００は、放送番組（映像・音声データ）を蓄積するためのＨＤＤ（Ｈａｒｄ  Ｄｉｓｋ  Ｄｒｉｖｅ）１５５を有していてもよい。
【００３５】
具体的には、チューナ部１１０は、ＣＰＵ１４０から入力される制御信号に従って、アンテナ１０１により受信されたデジタル放送信号の中から、選択（選局）された一のチャンネルに対応する周波数帯域に存在するデジタル放送信号を受信し、当該デジタル放送信号を周波数変換して、低周波数に変換したデジタル放送信号を復調・復号部１２０に出力する。
【００３６】
復調・復号部１２０は、例えば、ＣＰＵ１４０から入力される制御信号に従って、チューナ部１１０から出力されたデジタル放送信号に対してデジタル復調や誤り訂正などの処理を施してトランスポートストリームに変換する。そして、トランスポートストリームを解読して、当該トランスポートストリームを構成する各トランスポートパケットを判別し、選局された一のチャンネルの放送番組に関連するトランスポートパケットに含まれるデータを、圧縮音声データや圧縮映像データなどに分離し、当該圧縮音声データや当該圧縮映像データなどをデコードして、音声データや映像データを映像・音声出力部１３０を介して外部のデジタル放送受像機へ出力する。
【００３７】
一方、リモコン１０２は、図示を省略した各種操作ボタンを含み、ユーザにより操作されて当該操作に伴う各種コマンド信号を出力する。各種操作ボタンには、例えば、チャンネル番号のアップ/ダウンのためのチャンネルアップ/ダウンボタンや、チャンネル番号を直接指定するためのチャンネル指定ボタン等が含まれる。
【００３８】
メモリ１５０は、例えばＲＡＭ（Ｒａｎｄｏｍ  Ａｃｃｅｓｓ  Ｍｅｍｏｒｙ）及びフラッシュメモリを含む。ＲＡＭは、ＣＰＵ１４０によって実行されるプログラムを一時的に格納したり、入力データや上記処理プログラムが実行される際の処理結果などを格納したりする。フラッシュメモリは、ＣＰＵ１４０によって実行されるプログラムを記憶する。また、フラッシュメモリは、上述した全チャンネルスキャン機能によって作成されるチャンネルマップを記憶する。チャンネルマップは、チャンネル番号（リモコン番号）と、放送局と、物理チャンネルとを対応付けた情報である。なお、チャンネル番号（リモコン番号）は、論理的な番号であって、周波数軸上での物理チャンネルの位置を示す番号ではないことに留意すべきである。
【００３９】
チャンネルマップが作成された後においては、ユーザがリモコン１０２を用いてチャンネル番号を指定（アップ/ダウン指定を含む）すると、ＣＰＵ１４０は、フラッシュメモリ内にある当該チャンネルマップを参照することで、指定されたチャンネル番号に対応するチャンネルでデジタル放送信号を受信するようチューナ部１１０を制御し、当該受信したデジタル放送信号を復調・復号するよう復調・復号部１２０を制御する。
【００４０】
デジタル放送チューナ装置１００は、全チャンネルスキャンを実行する機能を有する。全チャンネルスキャンにおいて、ＣＰＵ１４０は、例えば、一のチャンネル（物理チャンネル）を選局した際に、すなわち、一の物理チャンネルに対応する周波数帯域をチューナ部１１０に設定した際に、復調・復号部１２０から音声データや映像データが出力された場合には、チューナ部１１０により当該一の物理チャンネルに対応するデジタル放送信号の受信が可能であると判断する。そして、ＣＰＵ１４０は、例えば、メモリ１５０に対し、チャンネルマップの「物理チャンネル」に対応付けて、復調・復号部１２０の出力に基づく「放送局名」や「チャンネル番号」を記憶させる。
【００４１】
次に、全チャンネルスキャンの詳細を説明する。図２は、本実施形態に係る全チャンネルスキャンの処理フローを示す。
【００４２】
図２に示すように、ステップＳ１０１において、ＣＰＵ１４０は、全チャンネルスキャンを開始する。全チャンネルスキャンの開始トリガは、主に「デジタル放送チューナ装置１１０を購入してから最初の電源オン」が挙げられるが、「ユーザからのスキャン開始操作」や、「放送波を復号できない状態」であってもよい。「デジタル放送チューナ装置１１０を購入してから最初の電源オン」により全チャンネルスキャンを開始する構成の場合、この電源オンにより自動的に実行される初期設定プログラムが存在するならば、この初期設定プログラムの実行過程において全チャンネルスキャンを行ってもよい。ＣＰＵ１４０は、デジタル放送帯域の特定位置（例えば周波数端）から受信チャンネルを切り替えながら復調・復号を試みるよう制御する。そして、復調・復号できればチャンネル検出とする。
【００４３】
ステップＳ１０２において、ＣＰＵ１４０は、最初に受信可能なチャンネルを検出したか否かを確認する。最初に受信可能なチャンネルを検出した場合（ステップＳ１０２；ＹＥＳ）、処理をステップＳ１０３に進める。
【００４４】
ステップＳ１０３において、ＣＰＵ１４０は、自動で全チャンネルスキャンを停止する。詳細には、次にスキャンすべきチャンネルへの切り替えを行わずに、現時点での受信チャンネルを維持する。また、ＣＰＵ１４０は、現時点での受信チャンネルに関する情報（チャンネル番号、放送局、物理チャンネル）をメモリ１５０のチャンネルマップへ登録する。
【００４５】
ステップＳ１０４において、ＣＰＵ１４０は、最初に検出されたチャンネルの受信及び復調・復号を継続するよう制御することで、復調・復号部１２０から映像・音声出力部１３０を介して映像・音声データを継続的に出力させる。
【００４６】
ステップＳ１０５において、ＣＰＵ１４０は、チャンネル切り替え操作があったか否かを確認する。例えば、リモコン１０２のチャンネルアップ／ダウンボタンの押下、あるいは任意のチャンネル指定ボタンの押下といったユーザからのチャンネル切り替え操作がされた否かを確認する。なお、この時点ではチャンネル番号（リモコン番号）に対して物理チャンネルが対応付けられていないため、指定されたチャンネル番号（リモコン番号）での受信は行うことができない。チャンネル切り替え操作があった場合（ステップＳ１０５；ＹＥＳ）、処理をステップＳ１０６に進める。これに対し、チャンネル切り替え操作が無い場合（ステップＳ１０５；ＮＯ）、処理をステップＳ１０４に戻す。
【００４７】
ステップＳ１０６において、ＣＰＵ１４０は、受信中チャンネルから全チャンネルスキャンを再開する。全チャンネルスキャンを再開する場合、周波数軸上で隣接するチャンネルからスキャン再開してもよく、隣接しないチャンネルからスキャン再開してもよい。
【００４８】
ステップＳ１０７において、ＣＰＵ１４０は、次の受信可能なチャンネルを検出したか否かを確認する。次の受信可能なチャンネルを検出した場合（ステップＳ１０７；ＹＥＳ）、処理をステップＳ１０８に進める。これに対し、次の受信可能なチャンネルを検出しない場合、全チャンネルスキャンフローが終了する。このようにして、受信可能な全チャンネルについてのチャンネルマップが作成される。
【００４９】
ステップＳ１０８において、ＣＰＵ１４０は、自動で全チャンネルスキャンを停止する。詳細には、次にスキャンすべきチャンネルへの切り替えを行わずに、現時点での受信チャンネルを維持する。また、ＣＰＵ１４０は、現時点での受信チャンネルに関する情報（チャンネル番号、放送局、物理チャンネル）をメモリ１５０のチャンネルマップへ登録する。
【００５０】
ステップＳ１０９において、ＣＰＵ１４０は、検出されたチャンネルに対する受信及び復調・復号を継続するよう制御することで、復調・復号部１２０から映像・音声出力部１３０を介して映像・音声データを継続的に出力させる。その後、処理をステップＳ１０５に戻す。
【００５１】
なお、ＣＰＵ１４０は全チャンネルスキャン中にユーザ操作によるサスペンド指示コマンドを検知すると、チューナ部１１０、復調・復号部１２０、ＣＰＵ１４０、及びメモリ１５０のそれぞれを通電状態に維持しつつ、映像・音声データを出力することなくバックグラウンドで全チャンネルスキャンを継続し、全チャンネルスキャンが完了すると、チューナ部１１０及び復調・復号部１２０を非通電状態として、本来のサスペンドへ移行してもよい。また、ＣＰＵ１４０は全チャンネルスキャン中にユーザ操作による電源オフコマンドを検知すると、全チャンネルスキャンの途中経過をメモリ１５０（フラッシュメモリ）に記憶させた上で、電源オフに移行し、次回電源オン時に、メモリ１５０に記憶させた途中経過に基づいて全チャンネルスキャンをその続きから再開する。
【００５２】
以上説明したように、放送帯域内にあるチャンネルを順次スキャンして、デジタル放送信号を受信可能な全てのチャンネルを検出する全チャンネルスキャンを行うことができる本実施形態のデジタル放送チューナ装置１００は、選択されたチャンネルでデジタル放送信号を受信して、当該受信したデジタル放送信号に対応する映像・音声データを出力するチューナ部１１０及び復調・復号部１２０と、全チャンネルスキャンを開始した後、最初にデジタル放送信号を受信可能なチャンネルを検出すると、スキャン停止を示すユーザ操作がなくても全チャンネルスキャンを停止して、当該最初に検出されたチャンネルでデジタル放送信号を継続的に受信するよう制御するＣＰＵ１４０と、を有する。これにより、とりあえず直ぐに放送番組を視聴したいというユーザの要求に応えることができる。
【００５３】
また、本実施形態では、ＣＰＵ１４０は、最初にデジタル放送信号を受信可能なチャンネルを検出することで全チャンネルスキャンを停止した後、チャンネル切り替えを示すユーザ操作があると、全チャンネルスキャンを再開するよう制御する。これにより、ユーザの意志で全チャンネルスキャンを再開できる。
【００５４】
［第２実施形態］
本実施形態では、デジタル放送チューナ装置１００の構成は第１実施形態と同様である。
【００５５】
ただし、メモリ１５０は、図３に示すように、予め、デジタル放送信号が放送されるチャンネルの情報をリスト化した放送チャンネルリストを地域毎に記憶している。図３では、放送チャンネルリストは、チャンネル番号、放送局、物理チャンネルの組を含んでいるが、少なくとも物理チャンネルの情報を含んでいればよく、チャンネル番号及び放送局の情報は必須では無い。なお、地域とは、関東地方、関西地方、東海地方といった地方単位でもよく、東京都、大阪府、愛知県といった都道府県単位であってもよい。
【００５６】
また、本実施形態では、ＣＰＵ１４０は、全チャンネルスキャンを開始するよりも前にユーザから地域情報が入力されている場合に、当該地域情報に対応する放送チャンネルリストをメモリ１５０から取得し、当該取得した放送チャンネルリストに含まれるチャンネルをスキャン対象として選択する。地域情報とは、地域が特定可能な情報であればよく、例えば郵便番号や住所である。
【００５７】
図４は、本実施形態に係る全チャンネルスキャンの処理フローを示す。
【００５８】
図４に示すように、ステップＳ２００において、ＣＰＵ１４０は、リモコン１０２を用いてユーザが入力する地域情報を取得する。
【００５９】
ステップＳ２０１において、ＣＰＵ１４０は、ステップＳ２００で取得した地域情報に基づいて、当該地域情報が示す地域の放送チャンネルリストをメモリ１５０から取得する。
【００６０】
ステップＳ２０２において、ＣＰＵ１４０は、ステップＳ２０１で取得した放送チャンネルリストに基づく全チャンネルスキャンを開始する。全チャンネルスキャンの開始トリガは、主に「デジタル放送チューナ装置１１０を購入してから最初の電源オン」が挙げられるが、「ユーザからのスキャン開始操作」や、「放送波を復号できない状態」であってもよい。ＣＰＵ１４０は、ステップＳ２０１で取得した放送チャンネルリストに含まれる何れかの物理チャンネルから受信周波数を増加または減少させる方向に受信チャンネルを切り替えながら受信及び復調・復号を試みるよう、チューナ部１１０及び復調・復号部１２０を制御する。そして、復調・復号できればチャンネル検出とする。
【００６１】
ステップＳ２０３において、ＣＰＵ１４０は、最初に受信可能なチャンネルを検出したか否かを確認する。最初に受信可能なチャンネルを検出した場合（ステップＳ２０３；ＹＥＳ）、処理をステップＳ２０４に進める。
【００６２】
ステップＳ２０４において、ＣＰＵ１４０は、自動で全チャンネルスキャンを停止する。詳細には、次にスキャンすべきチャンネルへの切り替えを行わずに、現時点での受信チャンネルを維持する。また、ＣＰＵ１４０は、現時点での受信チャンネルに関する情報（チャンネル番号、放送局、物理チャンネル）をメモリ１５０のチャンネルマップへ登録する。
【００６３】
ステップＳ２０５において、ＣＰＵ１４０は、最初に検出されたチャンネルの受信及び復調・復号を継続するよう制御することで、復調・復号部１２０から映像・音声出力部１３０を介して映像・音声データを継続的に出力させる。
【００６４】
ステップＳ２０６において、ＣＰＵ１４０は、チャンネル切り替え操作があったか否かを確認する。例えば、リモコン１０２のチャンネルアップ／ダウンボタンの押下、あるいは任意のチャンネル指定ボタンの押下といったユーザからのチャンネル切り替え操作がされた否かを確認する。なお、この時点ではチャンネル番号（リモコン番号）に対して物理チャンネルが対応付けられていないため、指定されたチャンネル番号（リモコン番号）での受信は行うことができない。チャンネル切り替え操作があった場合（ステップＳ２０６；ＹＥＳ）、処理をステップＳ２０７に進める。これに対し、チャンネル切り替え操作が無い場合（ステップＳ２０６；ＮＯ）、処理をステップＳ２０５に戻す。
【００６５】
ステップＳ２０７において、ＣＰＵ１４０は、全チャンネルスキャンを再開する。全チャンネルスキャンを再開する場合、ステップＳ２０１で取得した放送チャンネルリストに含まれる物理チャンネルのうち、周波数軸上で受信中チャンネルに隣接するチャンネルからスキャン再開してもよく、隣接しないチャンネルからスキャン再開してもよい。
【００６６】
ステップＳ２０８において、ＣＰＵ１４０は、次の受信可能なチャンネルを検出したか否かを確認する。次の受信可能なチャンネルを検出した場合（ステップＳ２０８；ＹＥＳ）、処理をステップＳ２０９に進める。これに対し、次の受信可能なチャンネルを検出しない場合、全チャンネルスキャンフローが終了する。このようにして、受信可能な全チャンネルについてのチャンネルマップが作成される。
【００６７】
ステップＳ２０９において、ＣＰＵ１４０は、自動で全チャンネルスキャンを停止する。詳細には、次にスキャンすべきチャンネルへの切り替えを行わずに、現時点での受信チャンネルを維持する。また、ＣＰＵ１４０は、現時点での受信チャンネルに関する情報（チャンネル番号、放送局、物理チャンネル）をメモリ１５０のチャンネルマップへ登録する。
【００６８】
ステップＳ２１０において、ＣＰＵ１４０は、検出されたチャンネルに対する受信及び復調・復号を継続するよう制御することで、復調・復号部１２０から映像・音声出力部１３０を介して映像・音声データを継続的に出力させる。その後、処理をステップＳ２０５に戻す。
【００６９】
なお、ＣＰＵ１４０は全チャンネルスキャン中にユーザ操作によるサスペンド指示コマンドを検知すると、チューナ部１１０、復調・復号部１２０、ＣＰＵ１４０、及びメモリ１５０のそれぞれを通電状態に維持しつつ、映像・音声データを出力することなくバックグラウンドで全チャンネルスキャンを継続し、全チャンネルスキャンが完了すると、チューナ部１１０及び復調・復号部１２０を非通電状態として、本来のサスペンドへ移行してもよい。また、ＣＰＵ１４０は全チャンネルスキャン中にユーザ操作による電源オフコマンドを検知すると、全チャンネルスキャンの途中経過をメモリ１５０（フラッシュメモリ）に記憶させた上で、電源オフに移行し、次回電源オン時に、メモリ１５０に記憶させた途中経過に基づいて全チャンネルスキャンをその続きから再開する。
【００７０】
以上説明したように、本実施形態によれば、放送チャンネルリストに含まれるチャンネルをスキャン対象として選択することで、スキャン候補を絞ることができるため、全チャンネルスキャンに要する時間を短縮できると共に、最初の受信可能チャンネルを短時間で検出できる。よって、直ぐに放送番組を視聴したいというユーザの要求に応えることができる。
【００７１】
［第３実施形態］
本実施形態では、デジタル放送チューナ装置１００の構成は第１実施形態と同様である。
【００７２】
ただし、メモリ１５０は、第２実施形態と同様に、予め放送チャンネルリストを地域毎に記憶している（図３参照）。
【００７３】
また、本実施形態では、ＣＰＵ１４０は、最初にデジタル放送信号を受信可能なチャンネルを検出した後、当該最初に検出したチャンネルの情報を有する放送チャンネルリストをメモリ１５０から取得し、当該取得した放送チャンネルリストに含まれるチャンネルを次以降のスキャン対象として選択してもよい。
【００７４】
図５は、本実施形態に係る全チャンネルスキャンの処理フローを示す。
【００７５】
図５に示すように、ステップＳ３０１において、ＣＰＵ１４０は、全チャンネルスキャンを開始する。全チャンネルスキャンの開始トリガは、主に「デジタル放送チューナ装置１１０を購入してから最初の電源オン」が挙げられるが、「ユーザからのスキャン開始操作」や、「放送波を復号できない状態」であってもよい。ＣＰＵ１４０は、デジタル放送帯域の特定位置（例えば周波数端）から受信周波数を増加または減少させる方向に受信チャンネルを切り替えながら復調・復号を試みるよう、チューナ部１１０及び復調・復号部１２０を制御する。そして、復調・復号できればチャンネル検出とする。
【００７６】
ステップＳ３０２において、ＣＰＵ１４０は、最初に受信可能なチャンネルを検出したか否かを確認する。最初に受信可能なチャンネルを検出した場合（ステップＳ３０２；ＹＥＳ）、処理をステップＳ３０３に進める。
【００７７】
ステップＳ３０３において、ＣＰＵ１４０は、自動で全チャンネルスキャンを停止する。詳細には、次にスキャンすべきチャンネルへの切り替えを行わずに、現時点での受信チャンネルを維持する。また、ＣＰＵ１４０は、現時点での受信チャンネルに関する情報（チャンネル番号、放送局、物理チャンネル）をメモリ１５０のチャンネルマップへ登録する。さらに、ＣＰＵ１４０は、現時点での受信チャンネルに関する情報（チャンネル番号、放送局、物理チャンネル）に合致する情報を含む放送チャンネルリストをメモリ１５０から検索する。
【００７８】
合致する放送チャンネルリストが無い場合（ステップＳ３０４；ＮＯ）、第１実施形態で説明したフローに基づいて全チャンネルスキャンを行う。詳細には、図２の“Ａ”で示す位置から全チャンネルスキャン処理を行う。
【００７９】
これに対し、合致する放送チャンネルリストが有る場合であって（ステップＳ３０４；ＹＥＳ）、当該合致する放送チャンネルリストが１つである場合（ステップＳ３０５；ＮＯ）には、第２実施形態で説明したフローに基づいて全チャンネルスキャンを行う。詳細には、図４の“Ｂ”で示す位置から全チャンネルスキャン処理を行う。
【００８０】
合致する放送チャンネルリストが有る場合であって（ステップＳ３０４；ＹＥＳ）、当該合致する放送チャンネルリストが複数である場合（ステップＳ３０５；ＹＥＳ）には、処理をステップＳ３０６に進める。
【００８１】
ステップＳ３０６において、ＣＰＵ１４０は、最初に検出されたチャンネルの受信及び復調・復号を継続するよう制御することで、復調・復号部１２０から映像・音声出力部１３０を介して映像・音声データを継続的に出力させる。
【００８２】
ステップＳ３０７において、ＣＰＵ１４０は、チャンネル切り替え操作があったか否かを確認する。例えば、リモコン１０２のチャンネルアップ／ダウンボタンの押下、あるいは任意のチャンネル指定ボタンの押下といったユーザからのチャンネル切り替え操作がされた否かを確認する。なお、この時点ではチャンネル番号（リモコン番号）に対して物理チャンネルが対応付けられていないため、指定されたチャンネル番号（リモコン番号）での受信は行うことができない。チャンネル切り替え操作があった場合（ステップＳ３０７；ＹＥＳ）、処理をステップＳ３０８に進める。これに対し、チャンネル切り替え操作が無い場合（ステップＳ３０７；ＮＯ）、処理をステップＳ３０６に戻す。
【００８３】
ステップＳ３０８において、ＣＰＵ１４０は、全チャンネルスキャンを再開する。全チャンネルスキャンを再開する場合、当該複数の放送チャンネルリストに共通して含まれる物理チャンネルのうち、周波数軸上で受信中チャンネルに隣接するチャンネルからスキャン再開してもよく、隣接しないチャンネルからスキャン再開してもよい。
【００８４】
ステップＳ３０９において、ＣＰＵ１４０は、次の受信可能なチャンネルを検出したか否かを確認する。次の受信可能なチャンネルを検出した場合（ステップＳ３０９；ＹＥＳ）、処理をステップＳ３１０に進める。これに対し、次の受信可能なチャンネルを検出しない場合、ＣＰＵ１４０は、現時点での受信チャンネルに関する情報（チャンネル番号、放送局、物理チャンネル）をメモリ１５０のチャンネルマップへ登録し、全チャンネルスキャンフローが終了する。
【００８５】
ステップＳ３１０において、ＣＰＵ１４０は、自動で全チャンネルスキャンを停止する。詳細には、次にスキャンすべきチャンネルへの切り替えを行わずに、現時点での受信チャンネルを維持する。また、ＣＰＵ１４０は、現時点での受信チャンネルに関する情報（チャンネル番号、放送局、物理チャンネル）をメモリ１５０のチャンネルマップへ登録する。さらに、ＣＰＵ１４０は、ステップＳ３０９で検出されたチャンネルに基づいて、放送チャンネルリストを絞り込む処理を行う。詳細には、ＣＰＵ１４０は、当該複数の放送チャンネルリストのうち、ステップＳ３０９で検出されたチャンネルの情報を有しない放送チャンネルリストを候補から除外する。なお、このような絞り込みの処理は、絞り込みの結果、放送チャンネルリストが１つになるまで行われる。その後、処理をステップＳ３０５に戻す。
【００８６】
以上説明したように、本実施形態によれば、最初に検出された受信可能チャンネルに基づいて地域を推定し、当該推定した地域の放送チャンネルリストに含まれるチャンネルをスキャン対象として選択することで、以降のスキャン候補を絞ることができるため、全チャンネルスキャンに要する時間を短縮できると共に、次の受信可能チャンネルを短時間で検出できる。よって、直ぐに放送番組を視聴したいというユーザの要求に応えることができる。
【００８７】
［第４実施形態］
図６は、本実施形態に係るデジタル放送チューナ装置１００（デジタルテレビ放送受信機）のブロック図である。
【００８８】
図６に示すように、本実施形態に係るデジタル放送チューナ装置１００は、複数のチャンネルを同時に受信できるように、複数のチューナ部１１０（チューナ部１１０Ａ及び１１０Ｂ）と、チューナ部１１０Ａ及び１１０Ｂに対応する復調・復号部１２０Ａ及び１２０Ｂと、を有する。その他の構成は第１実施形態と同様である。本実施形態において、チューナ部１１０Ａ、チューナ部１１０Ｂ、復調・復号部１２０Ａ、復調・復号部１２０Ｂ、及び映像・音声出力部１３０は、受信手段１０を構成する。また、ＣＰＵ１４０は制御手段２０に相当し、メモリ１５０は記憶手段３０に相当する。
【００８９】
このような構成では、上述した第１実施形態に係る全チャンネルスキャンにおいて、チューナ部１１０Ａ及び復調・復号部１２０Ａを用いてチャンネル受信（番組視聴）中に、チューナ部１１０Ｂ及び復調・復号部１２０Ｂを用いて他の受信可能チャンネルのスキャンを行うことができる。
【００９０】
これにより、チューナ部１１０Ａ及び復調・復号部１２０Ａを用いてチャンネル受信（番組視聴）中にチャンネル切り替え操作があると、チューナ部１１０Ｂ及び復調・復号部１２０Ｂを用いて検出されている受信可能チャンネルに即座に切り替えることができる。
【００９１】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９２】
例えば、第１実施形態〜第４実施形態では、デジタル放送チューナ装置１００に対して本発明に係る全チャンネルスキャンを適用する一例を説明したが、図７に示すように、デジタル放送受像機２００に対して本発明に係る全チャンネルスキャンを適用してもよい。図７に示すデジタル放送受像機２００（デジタルテレビ放送受信機）は、映像を表示するディスプレイ１７０と、音声を出力するスピーカ１８０と、を有している点で、デジタル放送チューナ装置１００とは異なる。図７において、チューナ部１１０及び復調・復号部１２０は、受信手段１０を構成する。また、ＣＰＵ１４０は制御手段２０に相当し、メモリ１５０は記憶手段３０に相当する。また、図７に示すデジタル放送受像機２００はチューナ部１１０が１つであるが、第４実施形態と同様に複数としてもよい。
【００９３】
また、本発明に係る全チャンネルスキャンをプログラム実装し、当該プログラムをコンピュータに実行させてもよい。例えば、図８に示すように、可搬型のデジタル放送チューナ装置１００（デジタルテレビ放送受信機）と、本発明に係る全スキャン制御プログラムがインストールされたノート型パソコン３００（コンピュータ）と、において、本発明に係る全チャンネルスキャンプログラムを実行するノート型パソコン３００がデジタル放送チューナ装置１００を制御してもよい。また、図８ではデジタル放送チューナ装置１００が１つであるが、第４実施形態と同様に複数としてもよい。この場合、共通のプログラムにより複数のデジタル放送チューナ装置１００を協調制御することにより、第４実施形態と同様の動作を実現することができる。
【符号の説明】
【００９４】
１０…受信手段、２０…制御手段、３０…記憶手段、１００…デジタル放送チューナ装置、１０１…アンテナ、１０２…リモコン、１１０，１１０Ａ，１１０Ｂ…チューナ部、１２０，１２０Ａ，１２０Ｂ…復調・復号部、１３０…映像・音声出力部、１４０…ＣＰＵ、１５０…メモリ、１６０…コマンド受信部、１７０…ディスプレイ、１８０…スピーカ、２００…デジタル放送受像機、３００…ノート型パソコン
【図１】
2013223064.tif 000003
【図２】
2013223064.tif 000004
【図３】
2013223064.tif 000005
【図４】
2013223064.tif 000006
【図５】
2013223064.tif 000007
【図６】
2013223064.tif 000008
【図７】
2013223064.tif 000009
【図８】
2013223064.tif 000010